(57)【要約】【課題】利用者の邪魔にならず、フードの収納場所を確保しなくてもよい利便性の高いフード付き自転車を提供する。【解決手段】自転車２と、この自転車２の利用者を覆うためのフード機構３とを備えたフード付き自転車１であり、フード機構３を、自転車２の前部フレーム９から上方へ延ばされた縦フレーム１０、１０と、この縦フレーム１０、１０の上端１０ａ、１０ａに固定された横方向に長い横フレーム１１と、この横フレーム１１に取り付けられた折畳フード１２とで構成し、この折畳フード１２を、自転車２のハンドル７前方で折り畳まれた折畳状態から、自転車２のハンドル７上方で利用者を覆う展開状態へ、転換可能に折り畳まれた第１、第２、及び第３のフード部材１６、１７、１８で構成する。【選択図】図４
0003174021.tif 000002
【実用新案登録請求の範囲】
【請求項１】
自転車と、この自転車の利用者を覆うためのフード機構とを備えたフード付き自転車であって、
前記フード機構は、前記自転車の前部フレームから上方へ延ばされた縦フレームと、この縦フレームの上端に固定された横方向に長い横フレームと、この横フレームに取り付けられた折畳フードとを備え、
前記折畳フードは、前記自転車のハンドル前方で折り畳まれた折畳状態から、前記自転車のハンドル上方で利用者を覆う展開状態へ、転換可能に折り畳まれた複数のフード部材を有していることを特徴とするフード付き自転車。
【請求項２】
前記複数のフード部材は、前記折畳状態において前記自転車の前籠の上方に位置するように前記横フレームに連結されていることを特徴とする請求項１に記載のフード付き自転車。
【請求項３】
前記複数のフード部材は、前記展開状態において利用者の前方を覆う第１のフード部材と、この第１のフード部材の前端に連結されて利用者前方のさらに上方を覆う第２のフード部材とを有していることを特徴とする請求項１又は２に記載のフード付き自転車。
【請求項４】
前記複数のフード部材は、前記第２のフード部材の前端に連結されて利用者の上方を覆う第３のフード部材を有していることを特徴とする請求項３に記載のフード付き自転車。
【請求項５】
前記複数のフード部材は、前記第１のフード部材の前端に連結されて前記自転車の前籠を覆うように前斜め下方へ垂れ下がるサブフード部材を有していることを特徴とする請求項３又は４に記載のフード付き自転車。
【請求項６】
前記フード機構の縦フレームが、伸縮自在となっていることを特徴とする請求項１又は２に記載のフード付き自転車。
【請求項７】
前記複数のフード部材は、前記展開状態において利用者の前方を覆う第１のフード部材と、この第１のフード部材の前端に連結されて利用者の上方を覆う第２のフード部材とを有していることを特徴とする請求項６に記載のフード付き自転車。
【請求項８】
前記複数のフード部材は、前記第１のフード部材の後端に連結されて前記自転車の前籠を覆うように前斜め下方へ垂れ下がるサブフード部材を有していることを特徴とする請求項７に記載のフード付き自転車。
【請求項９】
前記フード機構の縦フレームが、前記自転車の前部フレームへ着脱自在となっていることを特徴とする請求項１〜８のいずれかに記載のフード付き自転車。
【考案の詳細な説明】
【技術分野】
【０００１】
本考案は、自転車の利用者を雨風、日差しなどからフードで守ることができ、必要のないときはフードを収納することができるフード付き自転車に関する。
【背景技術】
【０００２】
雨天時、自転車の利用者はレインコートを着ることで濡れないようにしている。しかし、コートを着る手間は非常に煩わしいものである。
【０００３】
その対策として、特許文献１に記載の自転車では、自転車の車体フレームに上方へ長い支持体を設け、この支持体に利用者を覆うための屋根体を設けている。
【先行技術文献】
【特許文献】
【０００４】
【特許文献１】特開２０１１−１２１３７８号公報
【考案の概要】
【考案が解決しようとする課題】
【０００５】
しかし、特許文献１の自転車では、取り付けられた支持体や屋根材は、必要のないときには利用者にとって非常に邪魔になるものであり、仮にこれが取り外しできるものであっても、支持体や屋根材を置いておく収納場所を確保しなければならないといった問題がある。
【０００６】
そこで本考案は、上記従来技術の問題点に鑑み、利用者の邪魔にならず、フードの収納場所を確保しなくてもよい利便性の高いフード付き自転車を提供することを目的とする。
【課題を解決するための手段】
【０００７】
上記目的を達成するため、次の技術的手段を講じた。
即ち、本考案は、自転車と、この自転車の利用者を覆うためのフード機構とを備えたフード付き自転車であって、前記フード機構は、前記自転車の前部フレームから上方へ延ばされた縦フレームと、この縦フレームの上端に固定された横方向に長い横フレームと、この横フレームに取り付けられた折畳フードとを備え、前記折畳フードは、前記自転車のハンドル前方で折り畳まれた折畳状態から、前記自転車のハンドル上方で利用者を覆う展開状態へ、転換可能に折り畳まれた複数のフード部材を有していることを特徴とする。
【０００８】
上記本考案のフード付き自転車によれば、自転車の前部フレームに繋がる横フレームに、自転車のハンドル前方で折り畳まれた折畳状態から、自転車のハンドル上方へ展開して利用者を覆う展開状態へ転換可能に折り畳まれた複数のフード部材を有する折畳フードが取り付けられており、必要のないときには、フード部材を折り畳んだ状態としておくことができるため、利用者の邪魔にならない。また、折畳フードを置いておく収納場所を確保しなくてもよい。
【０００９】
前記複数のフード部材は、前記折畳状態において前記自転車の前籠の上方に位置するように前記横フレームに連結されていることが好ましい。このようにすれば、折畳状態にした複数のフード部材で自転車の前籠を覆うことができる。
【００１０】
前記複数のフード部材は、前記展開状態において利用者の前方を覆う第１のフード部材と、この第１のフード部材の前端に連結されて利用者前方のさらに上方を覆う第２のフード部材とを有していることが好ましい。この場合、第１のフード部材で利用者の前方を覆うことができ、第２のフード部材で利用者前方のさらに上方を覆うことができる。
【００１１】
前記複数のフード部材は、前記第２のフード部材の前端に連結されて利用者の上方を覆う第３のフード部材を有していることが好ましい。この場合、第３のフード部材で利用者の上方を覆うことができる。
【００１２】
前記複数のフード部材は、前記第１のフード部材の前端に連結されて前記自転車の前籠を覆うように前斜め下方へ垂れ下がるサブフード部材を有していることが好ましい。この場合、折畳フードを展開状態とした際にも、自転車の前籠をサブフード部材で覆うことができる。
【００１３】
前記フード機構の縦フレームが、伸縮自在となっていてもよい。この場合には、縦フレームを伸縮させることによって複数のフード部材を上下に移行させることができ、利便性を向上させることができる。
【００１４】
前記複数のフード部材は、前記展開状態において利用者の前方を覆う第１のフード部材と、この第１のフード部材の前端に連結されて利用者の上方を覆う第２のフード部材とを有していることが好ましい。この場合、第１のフード部材で利用者の前方を覆うことができ、第２のフード部材で利用者の上方を覆うことができる。
【００１５】
前記複数のフード部材は、前記第１のフード部材の後端に連結されて前記自転車の前籠を覆うように前斜め下方へ垂れ下がるサブフード部材を有していることを特徴とする請求項７に記載のフード付き自転車。この場合、折畳フードを展開状態とした際にも、自転車の前籠をサブフード部材で覆うことができる。
【００１６】
前記フード機構の縦フレームが、前記自転車の前部フレームへ着脱自在となっていることが好ましい。フード機構の縦フレームが、自転車の前部フレームへ着脱自在となっていれば、必要のないときはフード機構を取り外しておくことができ、利便性を向上させることができる。
【考案の効果】
【００１７】
上記の通り、本考案によれば、自転車のハンドル前方で折り畳まれた折畳状態から、自転車のハンドル上方で利用者を覆う展開状態へ、転換可能に折り畳まれた複数のフード部材が設けられており、必要のないときには、フード部材を折り畳んだ状態としておくことができるため、利用者の邪魔にならない。また、複数のフード部材を有する折畳フードを置いておく収納場所を確保しなくてもよい。これにより、利便性を格段に向上させることができる。
【図面の簡単な説明】
【００１８】
【図１】本考案の第１実施形態に係るフード付き自転車の側面図である。
【図２】フード付き自転車の要部背面図である。
【図３】（ａ）及び（ｂ）は複数のフード部材を、折畳状態から展開状態へ転換させる際の動きを説明するための説明図である。
【図４】複数のフード部材を展開状態としたときのフード付き自転車の側面図である。
【図５】複数のフード部材を展開状態としたときのフード付き自転車の正面図である。
【図６】本考案の第２実施形態に係るフード付き自転車の要部背面図である。
【図７】複数のフード部材を展開状態としたときの第２実施形態に係るフード付き自転車の正面図である。
【考案を実施するための形態】
【００１９】
以下、本考案の実施形態について図面を参照して説明する。図１は本考案の第１実施形態に係るフード付き自転車１の側面図であり、図２はフード付き自転車１の要部背面図である。このフード付き自転車１は、自転車２と、この自転車２の利用者を覆うためのフード機構３とを備えている。自転車２の形式、形状などは限定されるものではなく、あらゆる自転車に本考案を適用することができる。なお、以下の説明において、自転車２の上下をそれぞれ単に上側、下側とし、自転車２の左右をそれぞれ単に左側、右側とし、自転車２の前後をそれぞれ単に前側、後側とする。
【００２０】
本実施形態のフード付き自転車１の自転車２は、フレーム４、前後の車輪５、サドル６、ハンドル７、前籠８などからなり、このうちフレーム４は、ハンドル７を支持するために前側に設けられた上下方向に長い前部フレーム９を有している。
【００２１】
図２のようにフード機構３は、自転車２の前部フレーム９から上方へ延ばされた左右一対の縦フレーム１０、１０と、これら縦フレーム１０、１０の上端１０ａ、１０ａに固定された横方向に長い横フレーム１１と、この横フレーム１１に取り付けられた折畳フード１２とを備えている。
【００２２】
各縦フレーム１０の下端１０ｂには、固定部材１３が設けられており、左右の縦フレーム１０、１０の固定部材１３、１３同士が、互いに組み合わされた状態でボルト及びナット１４によって締め付けられている。これにより、各縦フレーム１０が、前部フレーム９に着脱自在に取り付けられている。左右の縦フレーム１０、１０は、ハンドル７辺りまで上方へ向かうに従って互いに離間され、そこから上方へ真っ直ぐ延びてするよう屈曲している。以上の構成によって、各縦フレーム１０に繋がる折畳フード１２は、自転車２に着脱自在となっており、必要のないときは、折畳フード１２を自転車２から取り外しておくことができ、必要になったときに、折畳フード１２を自転車２に取り付けることができる。
【００２３】
折畳フード１２は、自転車２のハンドル７前方で折り畳まれた図１に示す折畳状態から、自転車２のハンドル７上方へ展開して利用者を覆う展開状態へ、転換可能に折り畳まれた複数のフード部材１５を有している。複数のフード部材１５は、折畳状態において自転車２の前籠８の上方に位置するように横フレーム１１に連結されている（図１参照）。複数のフード部材１５が、折畳状態において自転車２の前籠８の上方に位置していることから、複数のフード部材１５によって前籠８の上方を覆うことができ、前籠８に収容されている収容物を、雨や直射日光から守ることができる。
【００２４】
図３（ａ）及び（ｂ）は、複数のフード部材１５を折畳状態から展開状態へ転換させる際の動き説明するための説明図であり、図４は複数のフード部材１５を展開状態としたときのフード付き自転車１の側面図であり、図５は複数のフード部材１５を展開状態としたときのフード付き自転車１の正面図である。
【００２５】
複数のフード部材１５は、展開状態において利用者の前方を覆う第１のフード部材１６と、この第１のフード部材１６の前端１６ａに連結されて利用者の前斜め上方を覆う第２のフード部材１７と、この第２のフード部材１７の前端１７ａに連結されて利用者の上方を覆う第３のフード部材１８とで構成されている。即ち、折畳フード１２は、互いに連結された３つのフード部材１６、１７、１８を備えている。なお、各フード部材１６、１７、１８は、透明素材でできており、乗車中に前方や上方が見えるようになっている。
【００２６】
横フレーム１１と第１のフード部材１６、第１のフード部材１６と第２のフード部材１７、第２のフード部材１７と第３のフード部材１８の間には、これら双方を互いに回動自在に連結する連結部材１９が設けられている。この連結部材１９には周知の構成が採用され、当該連結部材は、フード部材同士を連結しかつ回動自在とするものであれば、限定されるものではない。
【００２７】
自転車２のハンドル７前方で折り畳まれた図１に示す折畳状態から、自転車２のハンドル７上方へ展開して利用者を覆う展開状態へ、転換する際の複数のフード部材１５の動きを、図３を参照して説明する。まず、図３（ａ）のように、前籠８の上方で折畳状態となっている第１、第２、及び第３のフード部材１６、１７、１８を上方へ起こす。その後、図３（ｂ）のように、折畳状態となっている第１、第２、及び第３のフード部材１６、１７、１８のうち、第１のフード部材１６を残して、第２、第３のフード部材１７、１８を合わせた状態で上方へ起こす。
【００２８】
さらに、第２、第３のフード部材１７、１８のうち、第２のフード部材１７を残して、第３のフード部材１８を上方へ起こし、連結部材１９を中心にして後方へ回し込んで利用者の上方となる位置までもってくる。なお、連結部材１９には、第１、第２、及び第３のフード部材１６、１７、１８を所要位置でロックするための図示しないロック部材が設けられており、各フード部材１６、１７、１８は、展開状態となった位置でその回動が止められロックされるようになっている。
【００２９】
複数のフード部材１５は、第１のフード部材１６の前端１６ａに連結されて自転車２の前籠８を覆うように前斜め下方へ垂れ下がるサブフード部材２０をさらに有している（図４参照）。このサブフード部材２０は、巻き込んだ状態で収納されており、必要なときに伸ばして、前籠８の前側下端８ａに引っ掛けられるようになっている。これにより、折畳フード１２が展開状態となった際においても、前籠８の上方を覆うことができ、前籠８に収容されている収容物を、雨や直射日光から守ることができる。
【００３０】
上記本実施形態のフード付き自転車１によれば、自転車２の前部フレーム９に繋がる横フレーム１１に、自転車２のハンドル７前方で折り畳まれた折畳状態から、自転車２のハンドル７上方へ展開して利用者を覆う展開状態へ、転換可能に折り畳まれた複数のフード部材１５を有する折畳フード１２が取り付けられており、必要のないときには、各フード部材１６、１７、１８を互いに折り畳んだ状態としておくことができるため、利用者の邪魔にならない。また、折畳フード１２を置いておく収納場所を確保しなくてもよい。これにより、利便性を格段に向上させることができる。
【００３１】
複数のフード部材１５は、展開状態において利用者の前方を覆う第１のフード部材１６と、この第１のフード部材１６の前端１６ａに連結されて利用者の前斜め上方を覆う第２のフード部材１７と、第２のフード部材１７の前端１７ａに連結されて利用者の上方を覆う第３のフード部材１８を有しているため、図４のように、第１のフード部材１６で利用者の前方を覆うことができ、第２のフード部材１７で利用者の前斜め上方を覆うことができ、第３のフード部材１８で利用者の上方を覆うことができる。以上の構成によって、利用者の前方、前斜め上方、上方を覆うことができ、雨風、日差しなどから当該利用者を守ることができる。
【００３２】
図６は、本考案の第２実施形態に係るフード付き自転車２８の要部背面図であり、図７は、複数のフード部材３５を展開状態としたときの第２実施形態に係るフード付き自転車２８の正面図である。本実施形態が上記実施形態と異なる主な点は、フード機構３６の左右の縦フレーム３０、３０の一部を伸縮自在としている点である。
【００３３】
図６に示すように、フード機構３６の左右の縦フレーム３０、３０には、それぞれ筒状となった収容フレーム３１、３１が固定されており、各収容フレーム３１に、上下方向に伸縮自在な伸縮ロッド３２、３２が収容されている。本実施形態の各伸縮ロッド３２は、大きさの順に順次出入自在に嵌合された径の異なる複数の筒体で構成されている。各伸縮ロッド３２の構成は、限定されるものではなく、伸縮自在となる棒状のものであればよい。
【００３４】
各伸縮ロッド３２の最も外側にある筒体３３は、各収容フレーム３１に固定材３４で固定されており、各伸縮ロッド３２が引き伸ばされても当該各収容フレーム３１から抜け出ないようになっている。固定材３４により、各伸縮ロッド３２の最も外側にある筒体３３は、各収容フレーム３１から取り外すこともできるようにもなっており、従って、各伸縮ロッド３２は、複数のフード部材３５と共に各収容フレーム３１に着脱自在となっている。
【００３５】
図７のように、複数のフード部材３５は、展開状態において利用者の前方を覆う第１のフード部材３８と、この第１のフード部材３８の前端に連結されて利用者の上方を覆う第２のフード部材３９と、さらに第１のフード部材３８の後端に連結されて自転車２の前籠８を覆うように前斜め下方へ垂れ下がるサブフード部材４０を有している。
【００３６】
このような第２実施形態のフード付き自転車２８とすれば、利用者はフードで覆いたい時に、横フレーム３７を持って伸縮ロッド３２、３２を図６のように引き延ばし、複数のフード部材３５を所要位置までもってきてから、第１及び第２のフード部材３８、３９を展開させることができる。これにより、利便性を格段に向上させることができる。
【００３７】
上記実施形態は、例示であり制限的なものではない。フード機構の縦フレーム、横フレーム、折畳フードを構成するフード部材の形状、大きさなどは適宜変更することができる。第１のフード部材だけでなく、第２のフード部材や第３のフード部材に、利用者の横を覆う横フード部材を取り付けてもよい。この場合、利用者の横からくる雨を防ぐことができる。
【符号の説明】
【００３８】
１、２８    フード付き自転車
２    自転車  
３、３６    フード機構
４    フレーム
７    ハンドル
８    前籠
９    前部フレーム
１０、３０  縦フレーム
１１、３７  横フレーム
１２  折畳フード
１３  固定部材
１５、３５  複数のフード部材
１６、３８  第１のフード部材
１７、３９  第２のフード部材
１８  第３のフード部材
１９  連結部材
２０  サブフード部材
３１  収容フレーム
３２  伸縮ロッド
３４  固定部材
【図１】
0003174021.tif 000003
【図２】
0003174021.tif 000004
【図３】
0003174021.tif 000005
【図４】
0003174021.tif 000006
【図５】
0003174021.tif 000007
【図６】
0003174021.tif 000008
【図７】
0003174021.tif 000009